(57)【要約】【課題】複写後のバーコードの読取率を高める。【解決手段】媒体に記録されたバーコードからコード情報を読取る。この読取られたコード情報を圧縮する。この圧縮されたコード情報からバーコードの画像を形成する。この形成されたバーコードの画像を複写後のバーコードとして出力する。【選択図】      図４
2006244159.tif 000002
【特許請求の範囲】
【請求項１】
媒体に記録されたバーコードの複写を生成するバーコード複写装置において、
前記媒体に記録されたバーコードからコード情報を読取る読取手段と、
この読取手段により読取られたコード情報を圧縮する圧縮手段と、
この圧縮手段により圧縮されたコード情報からバーコードの画像を形成する画像形成手段と、
この画像形成手段により形成されたバーコードの画像を出力する画像出力手段と、
を具備したことを特徴とするバーコード複写装置。
【請求項２】
前記読取手段により読取られたコード情報を記憶する記憶手段をさらに具備し、
前記画像形成手段は、前記圧縮手段により圧縮されたコード情報から形成されるバーコードに前記記憶手段により記憶されるコード情報を付した画像を形成することを特徴とする請求項１記載のバーコード複写装置。
【請求項３】
前記圧縮手段は、前記読取手段により読取られたコード情報を構成する複数桁の所定項目のデータのうち出現頻度が高いデータを当該項目よりも少ない桁数のデータに置換することで前記コード情報を圧縮することを特徴とする請求項１または２記載のバーコード複写装置。
【請求項４】
前記バーコード複写装置は、小包郵便物に付された小包追跡用バーコードが複写された配達証を作成する帳票作成装置であり、
前記圧縮手段は、前記小包追跡用バーコードを構成する地域コードと種別コードの組み合わせコードを圧縮対象の項目とすることを特徴とする請求項３記載のバーコード複写装置。
【請求項５】
前記バーコード複写装置は、書留郵便物に付された書留追跡用バーコードが複写された配達証を作成する帳票作成装置であり、
前記圧縮手段は、前記書留追跡用バーコードを構成する地域コードを圧縮対象の項目とすることを特徴とする請求項３記載のバーコード複写装置。
【発明の詳細な説明】
【技術分野】
【０００１】
本発明は、媒体に記録されたバーコードの複写を生成するバーコード複写装置に関する。
【背景技術】
【０００２】
従来、例えば書留郵便物のような流通物の配達に際しては、配達業務を管理するために配達証が作成されるようになっている。
【０００３】
この配達証が用いられる流通物の配達管理業務を図１２を参照して説明する。配達証とは、配達人が書留郵便物Ａを配達した際、受取人から受領印を受け取るために使用されるもので、正・副の２通が帳票作成装置Ｂにより作成される。１通は配達証Ｃ１として受取人から該当書留郵便物Ａを受け取ったことを証する受領印を受領印欄にもらうために書留郵便物に貼付される。そして、受取人により受領印が押印された後、郵便局へ持ち帰られて保管される。この受領印欄は図１２では、配達証Ｃ１の右上部の正円である。もう１通は配達証原符Ｃ２として郵便局の控えとして局内に残される。そして、配達を終え受領印が押印されて持ち帰られた配達証Ｃ１と配達証原符Ｃ２とを照合して配達済否を確認する。このように配達業務を管理するために用いられる配達証に記載されるべき内容は、受取人の居所および氏名、引受局記号、引受番号、特殊扱いの文字、作成月日および時間帯、受領印欄および配達証の文字などである。また、書留郵便物Ａには、流通過程のいずれの場所にあるかを管理するために固有の追跡コードがバーコードにより表記されているので、このバーコードも配達証に表記する必要がある。
【０００４】
このような配達証の作成は郵便局の局内において、上述の帳票作成装置Ｂにより次のように行われる。すなわち帳票作成装置Ｂは、撮像有効範囲Ｂ１内に収まる書留郵便物Ａを撮像し、その画像データから書留郵便物等の表面の複写画像を生成するとともに、撮像した画像データからバーコード情報を切出して読取る。そして、この読取ったバーコード情報に対応したバーコードと前記書留郵便物等の複写画像とを、作成月日、整理区分、一連番号その他の帳票に必要な情報とともに帳票にハードコピーして配達証を作成する。かくして、書留郵便物Ａの複写画像と該書留郵便物Ａに表記されているバーコード情報に対応したバーコードシンボルとが印刷された配達証を得ることができる（例えば、特許文献１参照）。
【０００５】
ここに、帳票作成装置Ｂは、書留郵便物Ａ等の媒体に記録されたバーコードの複写を生成するバーコード複写装置としての機能を有する。
【特許文献１】特許第２５０６７１５号公報
【発明の開示】
【発明が解決しようとする課題】
【０００６】
しかしながら、前記帳票作成装置等に利用される従来のバーコード複写技術においては、書留郵便物Ａ等の媒体を撮像して読取ったバーコードを一旦デコードし、そのデコード結果をそのままバーコード化して印刷出力していたので、複写前のバーコードが示すコード情報と複写後のバーコードが示すコード情報とが同一であった。このため、配達証の大きさに合わせてバーコードシンボルを縮小印刷する場合には、バーコードのバー幅が狭くなりすぎて読取率が低下する等の懸念があった。
【０００７】
本発明はこのような事情に基づいてなされたもので、その目的とするところは、複写後のバーコードの読取率をより一層高めることができるバーコード複写装置を提供しようとするものである。
【課題を解決するための手段】
【０００８】
本発明のバーコード複写装置は、読取手段，圧縮手段，画像形成手段及び出力手段によって構成される。読取手段は、媒体に記録された複写前のバーコードからコード情報を読取る手段である。圧縮手段は、読取手段によって読取られたコード情報を圧縮する手段である。画像形成手段は、圧縮手段によって圧縮されたコード情報からバーコードの画像を形成する手段である。出力手段は、画像形成手段によって形成されたバーコードの画像を複写後のバーコードとして出力する手段である。
【発明の効果】
【０００９】
かかる手段を講じた本発明によれば、複写後のバーコードとして複写前のバーコードよりもコード情報が圧縮されたデータが出力されるので、複写前と複写後のバーコードが示すコード情報が同一の場合よりも、複写後のバーコードの読取率を高めることができる効果を奏する。
【発明を実施するための最良の形態】
【００１０】
以下、本発明の実施の形態を図面を用いて説明する。  
なお、この実施の形態は、書留郵便物や小包郵便物等の流通物から、その流通物の配達を管理するために用いられる配達証を作成するための帳票作成装置に、本発明のバーコード複写技術を適用した場合である。
【００１１】
図１は本実施の形態に係わる帳票作成装置１の概略的な機構を示す側面図であり、図２は同帳票作成装置１の概略的な機構を示す正面図である。
【００１２】
帳票作成装置１には、複写しようとする流通物２を載置する複写テーブル３、流通物２の処理に必要な情報をセットし、その内容をモニタする操作部４、複写テーブル３を複写に必要な明るさで照明する光源５、複写テーブル３の上方に位置する撮像部６、帳票作成装置１全体の制御や画像データ等の一時的な記憶を行う制御部７、流通物２の複写画像と該流通物２の撮像画像から読取ったバーコード情報とを必要な配達管理情報とともに媒体にハードコピーする印字部８が設けられている。なお、複写テーブル３に配置した流通物２は、撮像部６の撮像有効範囲と略一致するように図示している。
【００１３】
流通物２は、例えば小包郵便物や書留郵便物等のように配達記録扱いとなっているものである。流通物２には受取人の氏名および居所、引受局記号、引受番号、特殊扱いの文字等を含む受取人情報とともに、流通過程のいずれの場所にあるかを管理するために固有の追跡コードを示すバーコードが同一面に表記されている。なお、流通物２のサイズは図示したサイズのものに限られず種々のサイズがあり、また、受取人の居所および氏名などが表記されているエリアや配達管理を行うためのバーコードが表記されているエリアも様々なものがある。
【００１４】
撮像部６は、被写体である流通物２からの入射光を反射させる反射ミラー６ａ、反射ミラー６ａからの反射光を結像する結像レンズ６ｂおよび結像レンズ６ｂで結像した流通物２の像を撮像するＣＣＤ（チャージ・カップルド・デバイス）などの撮像素子６ｃを有している。
【００１５】
図３は、帳票作成装置１の電気系統を示すブロック図である。  
操作部４には、オペレータに必要な情報を表示するための表示ディスプレイと、数値キーや機能キーなどの各種キーが配置されたキーボード及び各種スイッチ類が設けられている。この機能キーの中には、複写テーブル３に載置された流通物２の撮像開始を指令するためのスタートキー、操作の取消を指令するための取消キー等が含まれる。
【００１６】
撮像部６には、反射ミラー６ａ、結像レンズ６ｂ、撮像素子６ｃやアナログ−ディジタル（ＡＤ）変換部を有するＣＣＤ部６１、縮尺制御回路６２、シェーディング補正回路６３、濃度補正回路６４、擬似中間調２値化再生回路６５とこれらを制御する撮像部制御用のＣＰＵ６６が設けられている。
【００１７】
制御部７には、マスタＣＰＵ７１、濃度測定回路７２、撮像部・出力インターフェース（Ｉ／Ｆ）回路７３、画像メモリ７４、操作部インターフェース（Ｉ／Ｆ）回路７５とこれらを結ぶバスライン７６が設けられている。
【００１８】
印字部８は例えばレーザプリンタであり、印字部８内の各部を制御する出力制御用のＣＰＵ８１、レーザスキャナユニット制御回路８２、ポリゴンモータ駆動回路やレーザ発振回路などからなるレーザスキャナユニット８３、各種位置センサ８４、印字部８を駆動させるための駆動系制御回路８５、表面電位センサ８６、帯電、現像、転写の用に供する高圧系制御回路８７と印字テスト回路８８が設けられている。
【００１９】
バーコード情報読取部９には、バーコードの読取り処理専用として用いられるスレーブＣＰＵ９１およびバーコードを検出するためのバーコード検出回路９２が設けられている。
【００２０】
かかる構成の帳票作成装置１においては、操作部４のキーボード操作により配達証の作成月日や整理番号などの配達管理情報が設定されると、マスタＣＰＵ７１は、この設定された配達管理情報を、操作部Ｉ／Ｆ回路７５を介してマスタＣＰＵ７１のＲＡＭに記憶する。
【００２１】
次いで、スタートキーが入力されると、撮像部６のＣＰＵ６６は、撮像部６内の各部を制御し複写テーブル３に載置された流通物２を撮像する。すなわち、流通物２は光源５からの光照射を受け、ＣＣＤ部６１の反射ミラー６ａを経て結像レンズ６ｂにより撮像素子６ｃ上にその複写画像を結ぶ。なお、撮像部６の撮像有効範囲には、少なくとも流通物２の受取人情報と追跡コード用のバーコードが表記されたエリアが入るように、複写テーブル３に流通物２が載置されている。
【００２２】
これにより、撮像素子６ｃは撮像部制御用のＣＰＵ６６からの制御を受けて、順次光エネルギを電気エネルギに変換し、さらにＡ−Ｄ変換部によりアナログ量をディジタル量に変換して以降の回路へ撮像データを送出する。送出された撮像データはパイプライン処理によりそれぞれ縮尺制御回路６２、シェーディング補正回路６３、濃度補正回路６４、２値化再生回路６５により縮尺制御、シェーディング補正、画像濃度補正、擬似中間調２値化再生が行われる。なお、濃度補正を行うにあたっては、それに先立って、シェーディング補正を終えた撮像データを制御部７の濃度測定回路７２に送って、撮像対象流通物の濃度レベルを判断し、それに基づいて撮像データの濃度補正を行う。
【００２３】
このようにして２値化再生回路で２値化された撮像データ、すなわち、流通物２の受取人情報と追跡コード用のバーコードとが表記されたエリアの複写画像データは、撮像部・出力部Ｉ／Ｆ回路７３を介して送出され、マスタＣＰＵ７１の制御の下、画像メモリ７４に記憶される。なお、この撮像データが画像メモリ７４に記憶されるときには、マスタＣＰＵ７１のＲＡＭに記憶された配達管理情報も合わせて画像メモリ７４に記憶されるものとなっている。
【００２４】
バーコード情報読取部９は、送出された撮像データからバーコードを読取る。すなわち、バーコード検出回路９２は撮像データの中からバーコード部分を切出す。バーコード部分が切り出されると、スレーブＣＰＵ９１は、図４の流れ図に示す手順でバーコード複写処理を実行する。
【００２５】
先ず、スレーブＣＰＵ９１は、ＳＴ（ステップ）１としてバーコード検出回路９２により撮像データからバーコード部分が切り出されたことを検知すると、ＳＴ２としてそのバーコード部分を解析して２値のバーコード情報を取得する。次に、スレーブＣＰＵ９１は、ＳＴ３として２値のバーコード情報をデコードとして数字，アルファベット等の文字にコード化し（読取手段）、そのコード情報をスレーブＣＰＵ９１のＲＡＭに形成された第１メモリエリアＡ（記憶手段）に記憶する。
【００２６】
次に、スレーブＣＰＵ９１は、ＳＴ４，ＳＴ５として上記第１メモリエリアＡに記憶されたコード情報を解読し、そのコード情報が小包郵便物に付される小包追跡コードなのか、書留郵便物に付される書留追跡コードなのか、その他の郵便物に付されるその他のコードなのかを判断する。
【００２７】
ここで、小包追跡コードであった場合には、スレーブＣＰＵ９１は、ＳＴ６として後述する小包追跡コード圧縮処理を実行する。また、書留追跡コードであった場合には、ＳＴ７として後述する書留追跡コード圧縮処理を実行する。また、その他のコードであった場合には、ＳＴ８として第１メモリエリアＡに記憶されているコード情報をそのままスレーブＣＰＵ９１のＲＡＭに形成された第２メモリエリアＢにコピーする。
【００２８】
なお、前記小包追跡コード圧縮処理及び書留追跡コード圧縮処理においては、いずれも圧縮処理されたコード情報が第２メモリエリアＢに記憶されるようになっている。
【００２９】
しかる後、スレーブＣＰＵ９１は、ＳＴ９として第２メモリエリアＢに記憶されたコード情報をエンコードして２値のバーコード情報に変換する。次に、ＳＴ１０としてこのバーコード情報と第２メモリエリアＢに記憶されたコード情報とから、そのバーコード情報に対応するバーコードシンボルの下部にコード情報に対応する文字列が配置されたバーコード画像を形成する（画像形成手段）。そして、このバーコード画像を画像メモリ７４に書込み記憶させる。
【００３０】
以上で、バーコード複写処理が終了する。これにより、流通物２の受取人情報が表記されたエリアの複写画像データに、配達管理情報とバーコード画像とが所定位置に付与された１つの画像データが画像メモリ７４内に作成される。
【００３１】
そこで次に、マスタＣＰＵ７１は、画像メモリ７４の内容を撮像部・出力部Ｉ／Ｆ回路７３を介して印字部８へ送出する。出力制御用のＣＰＵ８１は印字部８内の各部を制御して撮像部・出力部Ｉ／Ｆ回路７３を介して送出された画像メモリ７４の内容に基づいてハードコピーを行う。すなわち、印字部８へ送られた画像メモリ７４の内容を、ＬＳＵ制御回路８２の制御を受けてレーザスキャナからレーザ光を変調する形で感光体に書込み、帳票にハードコピーする（画像出力手段）。印字部８はいわゆる間接法電子写真方式により構成されており、帯電、露光、現像、転写、分離、除電、クレーニング、定着の各プロセスにてハードコピーを作成している。また、印字部８では感光体の帯電電位を検出する表面電位センサ８６および帯電器印加電圧や現像バイアス電圧を制御する高圧系制御回路８７により画像形成のための制御が行われるとともに、用紙位置を検出する位置センサ８４および駆動系制御回路８５により用紙を搬送するための駆動が制御される。
【００３２】
次に、前記小包追跡コード圧縮処理について図５〜図７を用いて具体的に説明する。  
図５は小包郵便物の受取人情報と同一面に表記されている小包追跡コードを示すバーコード（小包追跡用バーコードＢＣ１）のデータ構造を示す模式図である。図示するように、小包追跡用バーコードＢＣ１は、その先頭の１桁が配達先を識別するための地域コードとして割り当てられており、次の１桁が小包の種類を識別するための種別コードとして割り当てられている。その他の桁は、小包郵便物単体を特定するためのＩＤ情報等として割り当てられている。
【００３３】
本実施の形態では、小包追跡用バーコードＢＣ１を構成する地域コードと種別コードの組み合わせコードを圧縮対象の項目とする。そして図６に示すように、スレーブＣＰＵ９１のＲＯＭまたはＲＡＭに、地域コードと種別コードとからなる２桁の組合せコードに対応して、１桁の圧縮後コードを設定してなる小包用圧縮判定テーブルＴ１を予め形成している。
【００３４】
しかしてスレーブＣＰＵ９１は、前記ＳＴ６の小包追跡コード圧縮処理に入ると、図７の流れ図に示す手順で小包追跡用バーコードＢＣ１の圧縮を行う。
【００３５】
先ず、ＳＴ６１として第１メモリエリアＡに記憶されたコード情報、すなわち小包追跡コードから各１桁の地域コードと種別コードを取得する。次に、ＳＴ６２としてこの地域コードと種別コードとの組合せコードで小包用圧縮判定テーブルＴ１を検索する。その結果、ＳＴ６３として当該組合せコードに対して圧縮後コードが設定されていた場合には圧縮対象であると判断し、設定されていない場合には圧縮対象外であると判断する。
【００３６】
ここで、当該組合せコードが圧縮対象であると判断された場合には、スレーブＣＰＵ９１は、ＳＴ４として小包用圧縮判定テーブルＴ１から当該組合せコードに対応して設定されている１桁の圧縮後コードを取得し、第１メモリエリアＡに記憶されている小包追跡コードの地域コードと種別コードを上記圧縮後コードに置換することによって、小包追跡コードを１桁分圧縮する（圧縮手段）。そして、ＳＴ６５としてこの圧縮後のコード情報をスレーブＣＰＵ９１のＲＡＭに形成された第２メモリエリアＢに記憶して、今回の小包追跡コード圧縮処理を終了する。
【００３７】
一方、当該組合せコードが圧縮対象でないと判断された場合には、スレーブＣＰＵ９１は、ＳＴ６６として第１のメモリエリアＡに記憶されているコード情報をそのまま第２のメモリエリアＢにコピーして、今回の小包追跡コード圧縮処理を終了する。
【００３８】
次に、前記書留追跡コード圧縮処理について図８〜図１０を用いて具体的に説明する。
図８は書留郵便物の受取人情報と同一面に表記されている書留追跡コードを示すバーコード（書留追跡用バーコードＢＣ２）のデータ構造を示す模式図である。図示するように、書留追跡用バーコードＢＣ２は、その先頭の２桁が配達先を識別するための地域コードとして割り当てられている。その他の桁は、書留郵便物単体を特定するためのＩＤ情報等として割り当てられている。
【００３９】
本実施の形態では、書留追跡用バーコードＢＣ２を構成する地域コードを圧縮対象の項目とする。そして図９に示すように、スレーブＣＰＵ９１のＲＯＭまたはＲＡＭに、２桁の地域コードに対応して、１桁の圧縮後コードを設定してなる書留用圧縮判定テーブルＴ２を予め形成している。
【００４０】
しかしてスレーブＣＰＵ９１は、前記ＳＴ７の書留追跡コード圧縮処理に入ると、図１０の流れ図に示す手順で書留追跡用バーコードＢＣ２の圧縮を行う。
【００４１】
先ず、ＳＴ７１として第１メモリエリアＡに記憶されているコード情報、すなわち書留追跡コードから２桁の地域コードを取得する。次に、ＳＴ７２としてこの地域コードで書留用圧縮判定テーブルＴ２を検索する。その結果、ＳＴ７３として当該地域コードに対して圧縮後コードが設定されていた場合には圧縮対象であると判断し、設定されていない場合には圧縮対象外であると判断する。
【００４２】
ここで、当該地域コードが圧縮対象であると判断された場合には、スレーブＣＰＵ９１は、ＳＴ７４として書留用圧縮判定テーブルＴ２から当該地域コードに対応して設定されている１桁の圧縮後コードを取得し、第１メモリエリアＡに記憶されている書留追跡コードの地域コードを上記圧縮後コードに置換することによって、書留追跡コードを１桁分圧縮する（圧縮手段）。そして、ＳＴ７５としてこの圧縮後のコード情報をスレーブＣＰＵ９１のＲＡＭに形成された第２メモリエリアＢに記憶して、今回の書留追跡コード圧縮処理を終了する。
【００４３】
一方、当該地域コードが圧縮対象でないと判断された場合には、スレーブＣＰＵ９１は、ＳＴ７６として第１のメモリエリアＡに記憶されているコード情報をそのまま第２のメモリエリアＢにコピーして、今回の書留追跡コード圧縮処理を終了する。
【００４４】
このように、本実施の形態の帳票作成装置１においては、予め小包用圧縮判定テーブルＴ１を作成して、スレーブＣＰＵ９１のＲＯＭまたはＲＡＭに登録しておく。ここで、小包郵便物にバーコード化されて付される小包追跡コードのうち、出現頻度が多い地域コードと種別コードの組合せコードを選択し、各々に圧縮後コードを対応付けて小包用圧縮判定テーブルＴ１を作成するものとする。
【００４５】
例えば、図５及び図６に示す例は、地域コードが０〜２の東京または信越でかつ種別コードが１，４または７の普通小包Ａラベル，普通小包Ｓラベルまたは代引き小包ラベルの組み合わせと、地域コードが３〜５の近畿，東海または北陸でかつ種別コードが１，４または７の普通小包Ａラベル，普通小包Ｓラベルまたは代引き小包ラベルの組み合わせと、地域コードが８〜９の関東，東北または北海道でかつ種別コードが１，４または７の普通小包Ａラベル，普通小包Ｓラベルまたは代引き小包ラベルの組み合わせが、出現頻度が高いとして選択され、各々に１〜９の圧縮後コードが割当設定された場合である。
【００４６】
この場合において、例えば図１１（ａ）に示すように、［０１２３４５６７８９０１２］の１３桁からなる小包追跡コードが印刷された小包郵便物が撮像部６で撮像された場合、この小包追跡コードの地域コードが［０］、種別コードが［１］であり、その組合せコード［０１］が小包用圧縮判定テーブルＴ１に設定されているので、この小包郵便物に対する配達証には、同図（ｂ）に示すように、地域コードと種別コードとの組合せコード［０１］が圧縮後コード［１］に置換されることによって［１２３４５６７８９０１２］の１２桁に圧縮されたバーコード画像が印刷出力される。また、この圧縮後のバーコード画像には、圧縮前の１３桁からなる小包追跡コード［０１２３４５６７８９０１２］がそのまま付される。
【００４７】
同様に、本実施の形態の帳票作成装置１においては、予め書留用圧縮判定テーブルＴ２を作成して、スレーブＣＰＵ９１のＲＯＭまたはＲＡＭに登録しておく。ここで、書留郵便物にバーコード化されて付される書留追跡コードのうち、出現頻度が多い地域コードを選択し、各々に圧縮後コードを対応付けて書留用圧縮判定テーブルＴ２を作成するものとする。
【００４８】
例えば、図８及び図９に示す例は、地域コードが００〜３０の東京と、３１〜４５の関東と、４６〜４７の信越と、４８〜５６の東海と、５７〜５８の北陸と、５９〜７６の近畿と、７７〜８１の中国と、８４〜９０の九州と、９１〜９５の東北が、出現頻度が高いとして選択され、各々に１〜９の圧縮後コードが割当設定された場合である。
【００４９】
この場合において、例えば図１１（ｃ）に示すように、［００１２３４５６７８９０１２］の１４桁からなる書留追跡コードが印刷された書留郵便物が撮像部６で撮像された場合、この書留追跡コードの地域コード［００］が書留用圧縮判定テーブルＴ２に設定されているので、この書留郵便物に対する配達証には、同図（ｄ）に示すように、地域コード［００］が圧縮後コード［１］に置換されることによって［１１２３４５６７８９０１２］の１３桁に圧縮されたバーコード画像が印刷出力される。また、この圧縮後のバーコード画像には、圧縮前の１４桁からなる書留追跡コード［００１２３４５６７８９０１２］がそのまま付される。
【００５０】
このように本実施の形態によれば、小包郵便物や書留郵便物等の媒体に記録された複写前のバーコードを読取ってデコードし、そのデコードされたコード情報を圧縮した後、再度バーコード化して配達証などの印刷媒体に印刷出力するようにしたので、複写後のバーコードとして複写前のバーコードよりもコード情報が圧縮されたデータを出力させることができる。したがって、複写後のバーコードシンボル長が短くなるので、圧縮しない場合よりも複写後のバーコードの読取率を高めることができる。このことは、複写後のバーコードを縮小印刷する場合に顕著である。
【００５１】
なお、複写後のバーコードを読取る際には、小包追跡用バーコードの場合は小包用圧縮判定テーブルＴ１を用いて１桁の圧縮後コードを各１桁の地域コードと種別コードに逆変換し、書留追跡用バーコードの場合は書留用圧縮判定テーブルＴ２を用いて１桁の圧縮後コードを２桁の地域コードに逆変換することによって、複写前のバーコードデータを復元できるのは言うまでもないことである。
【００５２】
また、本実施の形態によれば、圧縮後のバーコードと対応付けて圧縮前のコード情報を印刷出力するようにしている。したがって、たとえ圧縮後のバーコードが汚れ等によって読取れなくなった場合でも、圧縮前のバーコードが示すコード情報を容易に認知することができる。
【００５３】
なお、前記実施の形態では、複写前のバーコードが示すコード情報が小包追跡コードあるいは書留追跡コードであるとき、その地域コードや種別コードを、それより桁数の少ない圧縮後コードに置換することによってコード情報を圧縮する場合を示したが、コード情報の圧縮方法はこれに限定されるものではない。
【００５４】
例えば、外国宛または外国来郵便物の場合、その末尾に国を識別するデータが組み込まれたバーコードが印刷されているので、その国識別データの文字数を減らすことによって圧縮する。例えば、日本の場合は国識別データが「ＪＰ」なので、日本の出現頻度が高い場合にはその圧縮後コードを「Ｊ」とする。因みに、ヨルダンの［ＪＯ］と区別するためにヨルダンは［ＪＯ］のままとする。
【００５５】
また、バーコードが示すコード情報のうち意味を成さないデータや固定的なデータがある場合には、そのデータを削除することによってデータを圧縮することもできる。また、同じデータが繰り返される場合に、共通するデータとその繰り返し回数とで表すことによって圧縮することも可能である。
【００５６】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００５７】
【図１】本発明の一実施形態に係わる帳票作成装置の概略的な機構を示す側面図。
【図２】同帳票作成装置の概略的な機構を示す正面図。
【図３】同帳票作成装置の電気系統を示すブロック図。
【図４】同帳票作成装置においてバーコード読取部のスレーブＣＰＵが実行するバーコード複写処理の手順を示す流れ図。
【図５】小包追跡コードを示すバーコードの構造を示す模式図。
【図６】小包用圧縮判定テーブルのデータ構造を示す模式図。
【図７】小包追跡コード圧縮処理の要部手順を示す流れ図。
【図８】書留追跡コードを示すバーコードの構造を示す模式図。
【図９】書留用圧縮判定テーブルのデータ構造を示す模式図。
【図１０】書留追跡コード圧縮処理の要部手順を示す流れ図。
【図１１】小包追跡コードを示すバーコードと書留追跡コードを示すバーコードの圧縮前と圧縮後の一例を示す図。
【図１２】従来例における配達管理業務の例を示す模式図。
【符号の説明】
【００５８】
１…帳票作成装置、２…流通物、３…複写テーブル、４…操作部、６…撮像部、７…制御部、８…印字部、９…バーコード読取部、Ｔ１…小包用圧縮判定テーブル、Ｔ２…書留用圧縮判定テーブル。
【図１】
2006244159.tif 000003
【図２】
2006244159.tif 000004
【図３】
2006244159.tif 000005
【図４】
2006244159.tif 000006
【図５】
2006244159.tif 000007
【図６】
2006244159.tif 000008
【図７】
2006244159.tif 000009
【図８】
2006244159.tif 000010
【図９】
2006244159.tif 000011
【図１０】
2006244159.tif 000012
【図１１】
2006244159.tif 000013
【図１２】
2006244159.tif 000014